(57)【特許請求の範囲】
【請求項１】
複数枚の正電極板と負電極板とを電解層を介して交互に積層した積層体を備えた電池の製造装置であって、
各電極板を積層する台となる位置決め台と、積層しようとする電極板を浮上させる支持部材と、浮上した電極板を一端側から加圧して位置決め台上の電極板上に押え付けるローラとを備えていることを特徴とする電池製造装置。
【請求項２】
上記位置決め台の長手方向両端近傍位置に夫々押え部材を設けて、各押え部材によって交互に正電極板と、負電極板を押え・開放つつ積層作業を実施することを特徴とする請求項１記載の電池製造装置。
【請求項３】
上記位置決め台の長手方向両端上面に夫々ガイドピンを設け、このガイドピンを各電極板の端部に設けた位置決め穴に嵌合させることにより各電極板の位置決めを行う様にしたことを特徴とする請求項１又は２記載の電池製造装置。
【請求項４】
上記ガイドピンを、位置決め台の上面から突出入自在に構成したことを特徴とする請求項３記載の電池製造装置。
【請求項５】
上記ガイドピンを、手動操作により動作するカムによって突出入させるように構成したことを特徴とする請求項４記載の電池製造装置。
【請求項６】
上記押え部材は、回動軸を中心として回動することにより、位置決め台上の電極板を押えた姿勢と、開放した姿勢との間を移動することを特徴とする請求項２記載の電池製造装置。
【請求項７】
上記押え部材は弾性体の押え板を備え、この押え板によって位置決め台上の電極板の端部上面を押えることを特徴とする請求項６記載の電池製造装置。
【請求項８】
上記ローラは、ローラ保持部材によって回転自在に支持されると共に、このローラ保持部材は高低段差を有したガイドレール上を移動することによってローラを位置決め台上の電極板上に加圧させたり、加圧解除することを特徴とする請求項１記載の電池製造装置。
【請求項９】
上記支持部材を、上記位置決め台上面と平行な経路を有するガイドレールに沿って移動可能に支持したことを特徴とする請求項１記載の電池製造装置。
【請求項１０】
上記ガイドレールを対向配置された２つの垂直なガイド壁の内壁に形成した凹所とし、上記支持部材の被ガイド部をこの凹所内に嵌合させて進退自在に支持したことを特徴とする請求項９記載の電池製造装置。
【請求項１１】
上記ローラの材質を金属とすることを特徴とする請求項１記載の電池製造装置。
【請求項１２】
上記ローラの芯金を金属とし、この芯金の外周面に、ゴム、プラスチック、又は塗装被膜のいずれかを積層したことを特徴とする請求項１記載の電池製造装置。
【請求項１３】
上記位置決め台の少なくとも一部、上記支持部材、ローラ保持部材の材質を、金属とすることを特徴とする請求項１記載の電池製造装置。
【請求項１４】
上記位置決め台の少なくとも一部、上記支持部材、ローラ保持部材の材質を、金属以外の材料とすることを特徴とする請求項１記載の電池製造装置。
【請求項１５】
上記押え部材の駆動源として、電動シリンダー、又は、エアーシリンダーを用いたことを特徴とする請求項２記載の電池製造装置。
【発明の詳細な説明】
【０００１】
【発明の属する技術分野】
本発明は電池製造装置の改良に関し、特に正・負の各電極板を交互に積み重ねた積層体を効率的に製造するための電池製造装置に関する。具体的には、上記積層体を袋状合成樹脂フィルム内に封入した構成を採る電池において、各電極間の積層位置関係にずれが存すること等に起因して発生する種々の不具合を有効に解消することができる電池製造装置に関する。
【０００２】
【従来の技術】
近年のエレクトロニクス分野の技術発展はめざましく、それに伴って各種電子機器、通信機器等の小型化、軽量化、高性能化への要求には厳しいものがある。電子機器の心臓と言われる小型二次電池は、単位体積当たり、または単位重量当たりのエネルギー密度が大きく、且つ長寿命であることが求められており、このような特性をより高めた小型二次電池の開発が望まれている。このような状況下において、携帯電話、小型ＯＡ機器、小型通信機などの小型機器の電源として適したリチウムイオン二次電池の開発が期待されている。
このようなリチウムイオン電池として、特開平３−１５１５０号公報には、薄板状のカソードとアノードを電解層を介して交互に積み重ねた積層体（発電要素）を袋状合成樹脂フィルム内に気密的に封入したものが開示されている。この従来技術においては、積層体を合成樹脂フィルムで包摂した後で、該フィルム周囲の接合部をヒーター付き熱接着用金型を用いて、抜気しながら加圧しつつ熱接着することにより、気密的な封止構造を得る様にしている。
【０００３】
【発明が解決しようとする課題】
しかしながら、この従来の電池においては、次の様な問題を生じる。
まず、１．発電要素としての積層体を袋状合成樹脂フィルム内に包み込んでから熱融着で封口した後で、合成樹脂フィルムに破損（亀裂、破れ）が発生することがあり、この場合には破損箇所から空気中の水分が入り込み、この水分が負電極の活動物質リチウムと化学反応して水素ガスを発生させ、合成樹脂フィルムを内部よりふくらませて電池性能を低下させる事態が発生し易かった。
その原因として考えられるのは、発電要素を構成する電極板を積層する製造工程において、複数の正電極板と負電極板を交互に張り合わせ積層する際の互いの位置がずれることにより、発電要素の面方向（積層方向と直交する方向）寸法が正規寸法より大きくなり、場所によっては電極の一部が過剰に突出して袋状合成樹脂フィルムを破損（亀裂、破れ）させる、ということである。
次に、２．複数の正電極板と負電極板を交互に張り合わせ積層するとき、両極板の対向面の密着性が悪いと両極板間に空気層が形成され、溜った空気中の水分が負電極の活動物質リチウムと化学反応して水素ガスを発生させ、合成樹脂フィルムをふくらませて、電池性能低下と膨張による破裂を起こさせる虞れがあった。この場合には、発電要素の周囲に突出部がある訳では無く、また袋状合成樹脂フィルムを加圧熱接着した後で袋状合成樹脂フィルムに損傷箇所が形成される訳ではないが、合成樹脂フィルムの内圧の上昇によって電池性能低下、フィルムの破損を惹起することとなる。
次に、３．発電要素を構成する電極板を積層する工程において、複数の正電極板と負電極板の面方向位置にずれが発生して一部が突出すると、突出部が袋状合成樹脂フィルムの熱融着部に重なった状態で熱融着されたり、或は該突出部からの圧力により袋状合成樹脂フィルムの一部が張りつめた状態で熱融着封口されたときに、融着部に隙間や剥がれが発生していた。この場合には、袋状合成樹脂フィルムの融着部からの液漏れ、融着部の剥がれが発生し、電池性能低下と安全性低下が起きていた。
【０００４】
【発明が解決しようとする課題】
本発明はこのような従来例の問題点を解決する為になされたものであり、複数の正極板と負極板を電解層を介して交互に積層した積層体を袋状合成樹脂フィルムにより気密封止した構造の小型二次電池において、各極板の積層位置関係のバラツキ（面方向位置ずれ、極板間の間隙形成）に起因した合成樹脂フィルムの破れ、剥離と、それに起因した電池性能低下の防止、更には液洩れ防止による安全性向上、及び極板の積層作業性の向上を図ることができる角形電池電極板の電池製造装置を提供する。
【０００５】
【課題を解決するための手段】
上記課題を達成する為、請求項１の発明は、複数枚の正電極板と負電極板とを、電解層を介して交互に積層する積層体を製造する電池の製造装置であって、各電極板を積層する台となる位置決め台と、積層しようとする電極板を浮上させる支持部材と、浮上した電極板を一端側から加圧して位置決め台上の電極板上に押え付けるローラとを備えていることを特徴とする。
請求項２の発明は、上記位置決め台の長手方向両端近傍位置に夫々押え部材を設けて、各押え部材によって交互に正電極板と、負電極板を押え・開放つつ積層作業を実施することを特徴とする。
請求項３の発明は、上記位置決め台の長手方向両端上面に夫々ガイドピンを設け、このガイドピンを各電極板の端部に設けた位置決め穴に嵌合させることにより電極板の位置決めを行う様にしたことを特徴とする。
請求項４の発明は、上記ガイドピンを、位置決め台の上面から突出入自在に構成したことを特徴とする。
請求項５の発明は、上記ガイドピンを、手動操作により動作するカムによって突出入させるように構成したことを特徴とする。
請求項６の発明は、上記押え部材は、回動軸によって回動することにより、位置決め台上の電極板を押えた姿勢と、開放した姿勢との間を移動することを特徴とする。
請求項７の発明は、上記押え部材は弾性体の押え板を備え、この押え板によって位置決め台上の電極板の端部上面を押えることを特徴とする。
請求項８の発明は、上記ローラは、ローラ保持部材によって回転自在に支持されると共に、このローラ保持部材は高低段差を有したガイドレール上を移動することによってローラを位置決め台上の電極板上に加圧させたり、加圧解除することを特徴とする。
請求項９の発明は、上記支持部材を、上記位置決め台上面と平行な経路を有するガイドレールに沿って移動可能に支持したことを特徴とする。
請求項１０の発明は、上記ガイドレールを対向配置された２つの垂直なガイド壁の内壁に形成した凹所とし、上記支持部材の被ガイド部をこの凹所内に嵌合させて進退自在に支持したことを特徴とする。
請求項１１の発明は、上記ローラの材質を金属とすることを特徴とする。
請求項１２の発明は、上記ローラの芯金を金属とし、この芯金の外周面に、ゴム、プラスチック、又は塗装被膜のいずれかを積層したことを特徴とする。
請求項１３の発明は、上記位置決め台の少なくとも一部、上記支持部材、ローラ保持部材の材質を、金属とすることを特徴とする。
請求項１４の発明は、上記位置決め台の少なくとも一部、上記支持部材、ローラ保持部材の材質を、金属以外の材料とすることを特徴とする。
請求項１５の発明は、上記押え部材の駆動源として、電動シリンダー、又は、エアーシリンダーを用いたことを特徴とする。
【０００６】
【発明の実施の形態】
以下、本発明を図面に示した形態例により詳細に説明する。
（本発明の基本原理）
図１は本発明の製造装置により積層される正電極板と負電極板の構成を示す平面図、図２（ａ）  （ｂ）  及び（ｃ）  はガイドピンを備えた位置決め台の一例の正面図、平面図、及び側面図、図３は位置決め台上に正電極板と負電極板を交互に積層した状態を示す斜視図、図４は本発明の装置により電極板を交互に積層する手順、原理を説明する図、図５は積層された電極板の状態を示す斜視図、図６（ａ）  乃至（ｅ）  は本発明装置による電極板の積層手順を示す図である。
正電極板１と負電極板２とは同形状に形成されており、いずれも幅広の本体１ａ，２ａの一端から狭幅の突出部１ｂ，２ｂが突設され、突出部１ｂ，２ｂ上の所定位置に２つの位置決め穴１ｃ，２ｃを夫々貫通形成した構成を有する。
図２に示す位置決め台５は、その上面の一端寄りの位置に、一方の電極板、例えば正極板１の２つの位置決め穴１ｃを嵌合するための２つのガイドピン６が突設され、位置決め台５の上面の他端寄りの位置には、他方の電極板、例えば負極板２の２つの位置決め穴２ｃを嵌合するための２つのガイドピン７が突設されている。ガイドピン６は、第１の位置決め面１０上に突設され、ガイドピン７は第２の位置決め面１１上に突設されている。更に、両位置決め面１０、１１間には、各位置決め面１０、１１と同レベルの面から成る電極板受け台１２が位置し、一体化されている。
【０００７】
図３に示す様に正電極板１の位置決め穴１ｃをガイドピン６に嵌合することにより位置決め台５上における正電極板１の位置決めを行ってから、正電極板２の位置決め穴２ｃをガイドピン７に嵌合することにより位置決め台５上における負電極板２の位置決めを行う。なお、本発明では、図４の原理図に示す様に、ガイドピンにより位置決めされた一方の電極板の上に他方の電極板を積層する際に、ローラ１５を用いて他方の電極板の上面を一端側から他端側へ向けて押圧しながら積層を行うことにより、電極板間に間隙が形成されることを防いでいる。
積層前の正電極板１と負電極板２の表裏両面には、夫々負電極の活動物質リチウムを塗布しておくことは勿論である。
この位置決め作業を正・負の各電極板について交互に行うことにより、図５に示した如き正規の積層状態を備えた積層体（電極要素）を得ることができる。
【０００８】
図６は本発明装置による電極板の積層手順の概略を説明する原理図であり、同図中において符号２０及び２１は軸２０ａ，２１ａを中心として回動自在な電極板押え部材、符号２２は矢印で示す水平方向へ進退可能な電極板支持部材である。電極板押え部材２０、２１は先行して位置決め台上にセットされた電極板の突出部上を押えて脱落を防止する手段であり、電極板支持部材２２は押え部材によって一端を押えられた先行電極板の上に次の電極板を積層する際に、該次の電極板の下面に接してこれを持ち上げつつローラ１５による押圧作業を円滑に行い得る様にする手段である。つまり、電極板支持部材２２は、ローラ１５の移動方向の前方に位置して同方向に移動するものであり、ローラは支持部材２２により浮上させられた電極板を一端部側から押えることにより、既にセットされた先行電極板上に押えつけて行く動作を行うものである。
まず、図６（ａ）  は一枚目の電極板である正電極板１を位置決め台５上に積層する工程を示しており、ガイドピン６に対して正電極板１の位置決め穴１ｃを嵌合させた状態で第１の押え部材２０によって正電極板１の突出部１ｂの上面を押える。このとき、第２の押え部材２１は図示の様に退避位置に回動した状態にあり、ローラ１５も第２の押え部材２１の横方向位置に退避している。
なお、ガイドピン６、７は、夫々全ての電極板を積層完了した時に、正電極板又は負電極板の位置決め穴１ｃ，２ｃを受入れることができる様な突出長さに設定する。なお、図６では必ずしもそのような長尺状には図示していない。
【０００９】
次に、図６（ｂ）  （ｃ）  は一枚目の負電極板２を一枚目の正電極板１上に積層する工程を示しており、ガイドピン７に対して負電極板２の位置決め穴２ｃを嵌合させた状態で第２の押え部材２１によって負電極板２の突出部２ｂの上面を押える。この状態でローラ１５を左方へ移動開始して負電極板２の一端側から押え始める。この際、ローラ１５の先方（左方）に位置する電極支持部材２２により、負電極板２の下面を浮上させつつ、ローラによって押えを行う。このローラによる押えによって、一枚目の正電極板１と一枚目の負電極板２は、位置決め台５の上面との間で密着状態に加圧される。（ｃ）  の様に押えつけを終わったローラ１５は、第１の押え部材２０を越えて左側へ一旦退避し、次の押え作業に備える。
次に、図６（ｄ）  及び（ｅ）  は二枚目の正電極板１を一枚目の負電極板２上に積層する工程を示しており、ガイドピン６に対して正電極板１の位置決め穴１ｃを嵌合させた状態で第１の押え部材２０によって二枚目の正電極板１の突出部１ｂの上面を押える。この状態でローラ１５を右方へ移動開始して二枚目の正電極板１の一端側から押え始める。この際、ローラ１５の先方（右方）に位置する電極支持部材２２により、二枚目の正電極板１の下面を浮上させつつ、ローラによって押えを行う。このローラによる押えによって、一枚目の負電極板２と二枚目の正電極板１は、位置決め台５の上面との間で密着状態に加圧される。
この動作を繰り返すことにより、図５に示した如き積層体を得ることができる。
【００１０】
（製造装置の具体的な形態例）
次に、図７は上記の如き電極板の積層方法を実現する為に使用する具体的な電池製造装置の構成を示す斜視図、図８（ａ）  （ｂ）  及び（ｃ）  は押え部材による押え動作を示す図、図９は１枚目の負電極板をセットする状態を示す斜視図、図１０はローラにより加圧する状態を示す斜視図、図１１はローラによる加圧を終了してローラが待機している状態を示す斜視図である。
この電池製造装置（電極板積層装置）は、上記位置決め台５と、ローラ１５と、押え部材２０、２１と、電極板支持部材２２と、ローラ１５及び押え部材２０の移動をガイドするガイド壁３０を備えた外枠体３１とを有する。この形態例では、位置決め台５と押え部材２０、２１は、外枠体３１の内底面３２上に固定され、電極板支持部材２２は、２つのガイド壁３０の対向し合う内壁に夫々設けた支持部材ガイドレール３５上面によって被ガイド部２２ａをガイドされながら移動する。また、保持部３６の軸受部３６ａにより回転自在に支持されたローラ１５は、保持部３６両端下面の摺動面３６ｂを両ガイド壁３０の上端面のローラガイドレール３７によってガイドされつつ安定して移動する。
支持部材ガイドレール３５は、支持部材２２が電極板を浮上させた状態で横方向に移動できる様に水平に形成されている。ローラガイドレール３７は、位置決め台５上の電極受け台１２に相当する部分が最も低い平坦面３７ａとなり、その両側には夫々テーパー面３７ｂ，高い平坦面３７ｃが連設形成されている。支持部材２２は、図８（ｃ）  等に示す様に被ガイド部２２ａの底面をガイドレール３５上に載置した状態で移動される。また、ローラ１５は、図９に示す様に保持部３６の両端底面をガイドレール３７上に載置した状態で移動される。支持部材２２とローラ１５を移動させる駆動源としては、モータその他の駆動源を利用できる。
押え部材２０、２１の先端縁には各ガイドピン６、７を回避する為の切欠き２０ｂ，２１ｂを形成しているので、図８（ａ）  （ｂ）  （ｃ）  に示した様に電極板１から突出したガイドピン６を回避した状態で電極板を押えることができる。
支持部材２２の上面（電極板との接触面）をＲ形状にすることにより、電極板に傷を付けることが防止される。
【００１１】
図８（ｃ）  は一枚目の正電極板１を押え部材２０により押えてから一枚目の負電極板２をセットする作業の直前の状態を示している。このとき、支持部材２２を図示の初期位置に待機させておく。
図９は図８の状態にある位置決め台５上に一枚目の負電極板２をセットする状態を説明する図であり、ローラ１５の保持部３６をガイドレール３７の高所３７ｃ上にセットした状態で、ガイドレール３７に沿って図面左方へ移動させる。
図１０は図９の状態からローラの移動が進行した状態を示しており、ローラ１５がガイドレール３７の低所３７ａに達したことにより一枚目の負電極板２の押圧が開始されている。このときローラ１５に先行している支持部材２２は一枚目の負電極板２を浮上させている。ローラ１５は一旦浮上させられた電極板を端部から万遍なく押えるので、下側の電極板１上に密着して確実に押えつけることができる。
また、ガイドレール低所３７ａ内において、保持部３６の下部と支持部材２２の適所（ローラ寄りの端縁）とが接する様に構成すれば、ローラ１５を移動する際に支持部材２２を連動して等間隔で移動させることができる。
【００１２】
図１１はローラ１５による加圧が完了してローラが反対側のガイドレール高所３７ｃ上に達した状態を示している。ローラの保持部３６がテーパー面３７ｂを通過して高所３７ｂに達する間に、ローラ１５は支持部材２２を乗り越えて前後位置が入れ替わっている。この状態で、ローラ１５及び支持部材２２を逆方向に移動させると、支持部材２２を先行させた状態での加圧動作が可能となる。
上記浮上・加圧動作を左右交互に行うことにより、複数枚の電極板から成る積層体を形成することができる。
【００１３】
次に、図１２は押え部材２０、２１の具体的な構成説明図であり、この押え部材は、外枠体３１の内底面３２上に固定立設されるベース２０Ａ、２１Ａ上にブロック２０Ｂ、２１Ｂを固定するとともに、各ブロック上面に弾性体から成る押え板２０Ｃ，２１Ｃを一体化したものである。また、回転軸２０ａ，２１ａは、ブロック等の重心よりも外側にずらした位置に配置することにより、偏芯加重（一定加重）を利用して積層しようとする電極板の上から弾性体押え板２０Ｃ、２１Ｃにより、電極板を固定（図１２（ｂ）  ）したり、固定を解除（（ｃ）  ）することができる。
【００１４】
次に、図１３はガイドピン６、７を突出入可能な構成とした形態例の断面図及びガイドピン、及びバネの構成図である。このガイドピン可動機構は、一方のガイド壁３０を貫通して矢印方向に進退可能に支持されたシャフト４０と、シャフト先端の２つのカム部４１と、カム部４１を受入れる為に位置決め台５の側壁に形成された穴４２と、穴４２と連通した状態で位置決め台５の上面に貫通したピン支持孔４３と、支持孔４３内に上下動可能に遊嵌されたガイドピン６、７を下方に付勢するバネ４５と、シャフト４０の外側端部に設けられた操作ノブ４６等を有する。
ガイドピン６、７を上下動させる場合には、シャフト４０のノブ４６を把持して軸方向に出し入れすることにより、２カ所のカム部４１がその動きに連動してガイドピン６、７を上下動させる。ガイドピンの上限位置で電極板の位置出しが行われ、ガイドピン下限位置では積層を完了した電極板の取り外しが行われる。
【００１５】
図１４はローラの構成例であり、このローラは芯部材質を金属とし、その外周にゴム、プラスチック、塗装皮膜を形成した構成とする。ローラ外周をゴムとすれば、ゴムの弾性により電極板を均等な圧力で押しつけることができる。また、ローラ外周をプラスチックとするので、プラスチックとすることにより電極板に対摩耗性とプラスチックの弾性により電極板を均等な圧力で押しつけることができる。また、ローラ外周を塗装皮膜とすることにより、電極板に傷を付けず耐摩耗性を得ることができる。なお、ローラの外周面の材質を金属にすれば、電極板に対して摩耗性を向上できる。
【００１６】
次に、図１５は支持部材２２の被ガイド部２２ａの構成を変形させた例であり、この被ガイド部２２ａを図示の様に四角いブロック状にするとともに、ガイド壁３０のガイドレール３５を凹所として、凹所内に被ガイド部２２ａを嵌合することにより、安定した上下動のない支持部材の移動が可能となる。
図１６は、押え部材２０、２１の変形例であり、この例では弾性板から成る押え板２０Ｃ、２１Ｃの一端中央部をシャフト２０Ｄ、２１Ｄに固定する一方で、このシャフトを電動シリンダー又はエアーシリンダー５０によって上下動させることにより、上記形態例に於て説明した押え動作、及び押え解除動作を実現する様にしている。このように構成すれば、押え時の加重圧力を調整できる
（形態例の効果）
上記構成を備えた本発明の製造装置は、次の様な効果を奏する。
まず、本発明の製造装置は、正極板１と負極板２とを電解層を介して対向して重ねた積層体（発電要素）を袋状合成樹脂フィルムにより気密封止した構造の電池において、上記積層体を製造するために用いる装置であり、少なくとも電極板を積層するベースとなる位置決め台５と、押え部材２０、２１と、支持部材２２と、ローラ１５と、から構成し、夫々が一定の手順で作動することにより、位置ずれのない緊密な積層状態を実現できる。即ち、電極板を積層するときの位置ずれ（面方向及び上下方向のずれ）をなくして、積層体の全体形状を正規寸法内に収めることができるので、従来の様に電極板の一部が面方向に突出することにより、該突出部によって袋状合成樹脂フィルムを破損（亀裂、破れ）させたり、袋状合成樹脂フィルムの熱融着部に電極板の一部が重なって入り込んだり、袋状合成樹脂フィルムが張りつめた状態で熱融着封口された箇所より、隙間や剥がれが発生するという不具合がなくなる。また、支持部材２２とローラ１５との協働により、板間の空気を抜きながら電極板を一枚ずつ交互に積み重ねて積層体を作ることができるので、電極板の対向面の密着性が良くなり、空気層ができなくなる。その結果、従来の様に空気層中の水分が負電極の活動物質リチウムと化学反応を起こして水素ガスを発生させて袋内の内圧を高めて袋を膨ませて電池性能を低下させたり、或は袋の膨張により破裂が起こる危険性がなくなった。
【００１７】
また、位置決め台５の長手方向両端部に夫々電極板の位置決め部（ガイドピン）を設けたので、各電極板を左右交互にセットすることができると共に、積層するときの位置ずれをなくし、正規寸法に収めることができる。また、ガイドピン６、７により各電極板に設けた位置決め穴を支持するので、積層する際の位置ずれの発生率を皆無にし、常に正規寸法内に収目ることが可能となる。しかも、位置決め台のガイドピン６、７を突出入自在に構成することにより、電極板の脱着工程の作業性を高めることができる。このガイドピンが突出した後で下方へ退避する動作はバネによって行われるようにすれば、さらに電極板の脱着工程の作業性を向上することができる。
また、位置決め台のガイドピンはカム４１によって突出方向に付勢されるので、上下動に際しての各位置における位置決めができ作業性が向上する。また、このカムを、シャフト４０を操作することにより作動するように構成すれば、上下動の位置決めができ作業性が向上する。
【００１８】
位置決め台上に載置した電極板の一端の上面を押える押え部材を、回動軸によって回動自在に構成することにより、電極板を上から固定でき、電極板の積層作業を安定して行うことができる。また、この押え部材を、偏加重ブロック２０Ｂ、２１Ｂを用いて構成することにより一定の加重で電極板端部を固定することができる。また、この偏加重ブロック２０Ｂ、２１Ｂに弾性体の押え板２０Ｃ、２１Ｃを一体化してこの押え板によって電極端部を押える様にしているので、均等に電極板を上から固定でき、安定した積層作業を約束することができる。
次に、ローラ１５を保持する保持部材３６をガイドするガイドレール３７は、位置決め台５上の電極板を押える領域（受け台１２に相当する領域）に相当する部分を平坦な低所３７ａとし、低所３７ａの前後位置に傾斜面３７ｂを設け、各傾斜面の外側を平坦な高所３７ｃとしたので、ローラの往復動作中における加圧、退避動作を円滑に行うことが可能となる。
また、電極板受け台１２は、両端に位置する受け面１０、１１の中央に位置しているので、この一つの受け台１２を用いて、左右交互にセットされる電極板の積層作業を効率的に行うことができる。
支持部材２２は、ローラ１５の動作と連動して移動し、電極板間から空気を抜きながら電極板の積層体を作ることができるので、電極板の対向面の密着性が良くなる。この為、電極板間に空気層ができず、空気中の水分が負電極の活動物質リチウムと化学反応して水素ガスを発生させたり、袋の膨張により電池性能が低下したり、破裂する虞れがなくなる。
【００１９】
また、図１５に示した様に支持部材の被ガイド部２２ａを凸状にするとともに、ガイド壁に設けたガイドレールを凹形状として、両者を嵌合させたので、支持部材の往復動作を繰り返しても動作を安定させることができ、作業性が向上する。
また、支持部材２２の上面（電極板との接触面）をＲ形状、或は傾斜面にすることにより、電極板に傷を付けることが防止される。
また、ローラ１５の外周面の材質を金属にすれば、電極板に対する耐摩耗性を高めることができる。更に、ローラの芯金を金属としてその外周をゴムとすれば、ゴムの弾性により電極板を均等な圧力で押しつけることができる。また、ローラ外周をプラスチックとすれば、電極板の摩耗を防止すると共に、プラスチックの弾性により電極板を均等な圧力で押しつけることができる。更に、ローラ外周を塗装皮膜とすれば、電極板に傷を付けず耐摩耗性を得ることができる。
ローラ１５を保持する保持部３６は、支持部材２２と連動して移動し、電極板間の空気を抜きながら電極板の積層耐を作ることができるので、電極板間の対向面の密着性が良くなり、空気層ができないため、空気中の水分が負電極の活動物質リチウムと化学反応を起こして水素ガスを発生させることによる、袋状合成樹脂フィルムの膨張による電池性能低下と膨張による破裂の危険性がなくなる。
また、ローラ保持部材の両端下面の摺動部３６ａにより、ガイドレール３７上面に摺接するので、ローラの電極板への押しつけ圧力が均等になる。
また、位置決め台５、位置決め面１０、１１、電極板受け台１２、支持部材２２、ローラ保持部材３６の少なくとも一つ、できれば全てを金属材料にて構成することにより剛性が増す。また、これらを金属材料以外の材料で構成すれば、製造コストを低減できる。
また、押え部材２０、２１の駆動源として、電動シリンダー又は、エアーシリンダーを用いれば、加重圧力を調整できる。
なお、上記形態例では、主としてリチウムイオン２次電池の積層体の製造装置について説明をしてきたが、これは一例であり、本発明の装置は、その他の電池に用いる積層体の製造にも適用可能であることは言うまでもない。積層開始の順序としては、正、負電極板どちらかからでも積層は可能である。
【００２０】
【発明の効果】
以上の様に、本発明は、複数の正極板と負極板を電解層を介して交互に積層した積層体を袋状合成樹脂フィルムにより気密封止した構造の小型二次電池において、各極板の積層位置関係のバラツキ（面方向位置ずれ、極板間の間隙形成）に起因した合成樹脂フィルムの破れ、剥離と、それに起因した電池性能低下の防止、更には液洩れ防止による安全性向上、及び極板の積層作業性の向上を図ることができる。
即ち、請求項１の発明は、複数枚の正電極板と負電極板とを、電解層を介して交互に積層する積層体を製造する電池の製造装置であって、各電極板を積層する台となる位置決め台と、積層しようとする電極板を浮上させる支持部材と、浮上した電極板を一端側から加圧して位置決め台上の電極板上に押え付けるローラとを備えている。このため、正極板１と負極板２とを電解層を介して対向して重ねた積層体（発電要素）を袋状合成樹脂フィルムにより気密封止した構造の電池において、上記積層体を製造する際に、少なくとも電極板を積層するベースとなる位置決め台と、押え部材と、支持部材と、ローラ１５とが夫々一定の手順で作動することにより、位置ずれのない緊密な積層状態を実現できる。即ち、電極板を積層するときの位置ずれ（面方向及び上下方向のずれ）をなくして、積層体の全体形状を正規寸法内に収めることができるので、従来の様に電極板の一部が面方向に突出することにより、該突出部によって袋状合成樹脂フィルムを破損（亀裂、破れ）させたり、袋状合成樹脂フィルムの熱融着部に電極板の一部が重なって入り込んだり、袋状合成樹脂フィルムが張りつめた状態で熱融着封口された箇所より、隙間や剥がれが発生するという不具合がなくなる。また、支持部材とローラとの協働により、板間の空気を抜きながら電極板を一枚ずつ交互に積み重ねて積層体を作ることができるので、電極板の対向面の密着性が良くなり、空気層ができなくなる。その結果、従来の様に空気層中の水分が負電極の活動物質リチウムと化学反応を起こして水素ガスを発生させて袋内の内圧を高めて袋を膨ませて電池性能を低下させたり、或は袋の膨張により破裂が起こる危険性がなくなった。
【００２１】
次に、請求項２の発明は、上記位置決め台の長手方向両端近傍位置に夫々押え部材を設けて、各押え部材によって交互に正電極板と、負電極板を押え・開放つつ積層作業を実施する。このため、一つの位置決め台を用いて簡単に積層体を製造することができる。
請求項３の発明は、上記位置決め台の長手方向両端上面に夫々ガイドピンを設け、このガイドピンを各電極板の端部に設けた位置決め穴に嵌合させることにより電極板の位置決めを行うので、各電極板の位置決めが確実となり、ずれを防止できる。
請求項４の発明では、上記ガイドピンを、位置決め台の上面から突出入自在に構成したので、積層を完了した時に積層体を位置決め台上から離脱させる作業が容易となる。即ち、離脱時にはガイドピンを引っ込めて行えば良いので、スムーズな作業となる。
請求項５の発明は、上記ガイドピンを、手動操作により動作するカムによって突出入させるように構成したので、作業性を向上できる。
【００２２】
請求項６の発明では、上記押え部材は、回動軸によって回動することにより、位置決め台上の電極板を押えた姿勢と、開放した姿勢との間を移動するので、設置スペースの増大等の不具合をもたらすことなく、押え動作を実現できる。
請求項７の発明では、上記押え部材は弾性体の押え板を備え、この押え板によって位置決め台上の電極板の端部上面を押えるので、電極板に対する押え力を均一化して、押え力のバラツキに起因した位置ずれ等を防止できる。
請求項８の発明では、上記ローラは、ローラ保持部材によって回転自在に支持されると共に、このローラ保持部材は高低段差を有したガイドレール上を移動することによってローラを位置決め台上の電極板上に加圧させたり、加圧解除する。このため、ローラ保持部材と支持部材とを連動させて移動させる際に、両者の連動、連動解除を円滑に行うことができる。つまり、ガイドレールの高所に保持部材が位置している時には、支持部材と保持部材とは非干渉であるが、傾斜面を経て低所に移動すると、両者は係合して連動して積層作業を実施し、低所を過ぎて他方の傾斜面を上って他方の高所に移動した時には保持部材が支持部材を越えて反対側の待機位置に退避していることとなる。このため、戻り動作時における押え動作を円滑に行うことが可能となる。
【００２３】
請求項９の発明では、上記支持部材を、上記位置決め台上面と平行な経路を有するガイドレールに沿って移動可能に支持したので、保持部材との連動が可能になる。
請求項１０の発明では、上記ガイドレールを対向配置された２つの垂直なガイド壁の内壁に形成した凹所とし、上記支持部材の被ガイド部をこの凹所内に嵌合させて進退自在に支持したので、支持部材の移動が安定する。
請求項１１の発明では、上記ローラの材質を金属とし、請求項１２の発明では、上記ローラの芯金を金属とし、この芯金の外周面に、ゴム、プラスチック、又は塗装被膜のいずれかを積層した。ローラ外周面の材質を金属にすれば、電極板に対する耐摩耗性を高めることができ、ローラの芯金を金属としてその外周をゴムとすれば、ゴムの弾性により電極板を均等な圧力で押しつけることができ、ローラ外周をプラスチックとすれば、電極板の摩耗を防止すると共に、プラスチックの弾性により電極板を均等な圧力で押しつけることができ、更に、ローラ外周を塗装皮膜とすれば、電極板に傷を付けず耐摩耗性を得ることができる。
請求項１３の発明は、上記位置決め台の少なくとも一部、上記支持部材、ローラ保持部材の材質を、金属とすることを特徴とし、請求項１４の発明は、上記位置決め台の少なくとも一部、上記支持部材、ローラ保持部材の材質を、金属以外の材料とすることを特徴とするが、位置決め台５、位置決め面１０、１１、電極板受け台１２、支持部材２２、ローラ保持部材３６の少なくとも一つ、できれば全てを金属材料にて構成することにより剛性が増す。また、これらを金属材料以外の材料で構成すれば、製造コストを低減できる。
請求項１４の発明は、上記押え部材の駆動源として、電動シリンダー、又は、エアーシリンダーを用いたので、加重圧力を調整できる。
【図面の簡単な説明】
【図１】本発明の製造装置により積層される正電極板と負電極板の構成を示す平面図。
【図２】（ａ）  （ｂ）  及び（ｃ）  はガイドピンを備えた位置決め台の一例の正面図、平面図、及び側面図。
【図３】位置決め台上に正電極板と負電極板を交互に積層した状態を示す斜視図。
【図４】本発明の装置により電極板を交互に積層する手順、原理を説明する図。
【図５】積層された電極板の状態を示す斜視図。
【図６】（ａ）  乃至（ｅ）  は本発明装置による電極板の積層手順を示す図。
【図７】本発明の電極板の積層方法を実現する為に使用する具体的な電池製造装置の構成を示す斜視図。
【図８】（ａ）  （ｂ）  及び（ｃ）  は押え部材による押え動作を示す図。
【図９】１枚目の負電極板をセットする状態を示す斜視図。
【図１０】ローラにより加圧する状態を示す斜視図。
【図１１】ローラによる加圧を終了してローラが待機している状態を示す斜視図。
【図１２】（ａ）  （ｂ）  及び（ｃ）  は押え部材の構成及び動作を示す図。
【図１３】ガイドピンを突出入させる機構の構成説明図。
【図１４】ローラの斜視図。
【図１５】支持部材とガイドレールの変形例の説明図。
【図１６】押え部材の変形例の構成説明図。
【符号の説明】
１  正電極板、２  負電極板、１ａ，２ａ  本体、１ｂ，２ｂ  突出部、１ｃ，２ｃ  位置決め穴、５  位置決め台、６、７  ガイドピン、１０、１１  位置決め面、１２  電極板受け台、１５  ローラ、２０、２１  電極板押え部材、２２電極板支持部材、３０  ガイド壁、３１  外枠体、３２  内底面、３５  支持部材ガイドレール、３６  保持部、３６ａ  軸受部，３７  ローラガイドレール，３７ａ  低所、３７ｂ  テーパー面（傾斜面）、３７ｃ  高所。
【図１】
0003565539.tif 000002
【図２】
0003565539.tif 000003
【図３】
0003565539.tif 000004
【図４】
0003565539.tif 000005
【図５】
0003565539.tif 000006
【図６】
0003565539.tif 000007
【図７】
0003565539.tif 000008
【図８】
0003565539.tif 000009
【図９】
0003565539.tif 000010
【図１０】
0003565539.tif 000011
【図１１】
0003565539.tif 000012
【図１２】
0003565539.tif 000013
【図１３】
0003565539.tif 000014
【図１４】
0003565539.tif 000015
【図１５】
0003565539.tif 000016
【図１６】
0003565539.tif 000017